(57)【要約】【課題】ディスク部１０とコーン部５を所定の空間間隔に保ち、アンテナ特性を向上させるディスコーンアンテナの支持構造を提供することを目的とする。【解決手段】車両に一端が取り付けられ、固定部を有する支柱２４を表面に備えた絶縁基体部２０と、絶縁基体部２０の表面に固定された円錐筒状の金属板のコーン部５と、コーン部５の中心軸と同軸上でコーン部５の頂点部と所定の空間を保って支柱２４の固定部２６に固定されている円板状金属板のディスク部１０とを有する。【選択図】図１
2007201804.tif 000002
【特許請求の範囲】
【請求項１】
車両に一端が取り付けられ、固定部を有する支柱を表面に備えた絶縁基体部と、
前記絶縁基体部の表面に固定された円錐筒状の金属板のコーン部と、
前記コーン部の中心軸と同軸上で前記コーン部の頂点部と所定の空間を保って前記支柱の固定部に固定されている円板状金属板のディスク部と、
を有することを特徴とするディスコーンアンテナ。
【請求項２】
前記支柱は２つの固定部を有し、一方の固定部に円錐筒状の金属板のコーン部が固定され、他の固定部に円板状金属板のディスク部が固定されること、
を特徴とする請求項１に記載のディスコーンアンテナ。
【請求項３】
前記絶縁基体部は表面に前記支柱を有する円錐台形状で、
コーン部は前記支柱が入る開口部を有し、前記絶縁基体部に被せられて固定されていること、
を特徴とする請求項１に記載のディスコーンアンテナ。
【請求項４】
ディスク部は複数の前記支柱の一方の固定部によって、周辺部を固定されていること、
を特徴とする請求項１に記載のディスコーンアンテナ。
【発明の詳細な説明】
【技術分野】
【０００１】
本発明は、ディスコーンアンテナのコーン部とディスク部の支持構造に関する。
【背景技術】
【０００２】
ディスコーンアンテナは、円錐型のコーン部とコーン部の頂点部に配設されたディスク部に給電することによってコーン部とディスク部とで励振させるようにしたアンテナである。図７に示すように従来技術によるディスコーンアンテナ１は、中心に給電用同軸線の外部導体と接続されている中心軸１１が基板３０の上に固定されており、この中心軸１１の上部に円錐形の金属のコーン部５の頂点部８が固定されている。コーン部５の上部には、一端はコーン部５の円錐形状に沿った形状で、他端には円盤状の誘電体６が固定されている絶縁支持部４が取り付けられている。そして前記の円盤状の誘電体６の上には金属製で円盤状のディスク部１０が載せられて固定されている。給電用同軸線の中心導体７は中心軸１１の内部を通り、ディスク部１０に接続されている（例えば、特許文献１、２参照）。
【０００３】
ディスコーンアンテナでは、図１０（ａ）に示すコーン部５の頂点部８とディスク部１０との間隔ｄが特性上重要で、図１０（ｂ）に示すように、この間隔が変化するとアンテナの特性が変化してしまう。このためディスコーンアンテナ１では、ディスク部１０とコーン部５の頂点部８の間隔ｄが一定になるようにすることがアンテナの所要特性を得る上で重要となる。また、従来技術のディスコーンアンテナ１では、図９（ａ）に示す様に金属製のコーン部５と金属製のディスク部１０の間に誘電体６が挟まった構造となっているが、この間に挟まった誘電体６は図９（ｂ）に示す様に、アンテナの反射量を変化させる。
【０００４】
【特許文献１】特開平２−３９７０１号公報
【特許文献２】特開平２−１２１５０５号公報
【発明の開示】
【発明が解決しようとする課題】
【０００５】
従来技術のディスコーンアンテナ１は、図８に示すように、絶縁支持部４と誘電体６を組み立て、これをコーン部５の円錐面に合わせて固定している。このため、絶縁支持部４がコーン部５の円錐面と接する部分の角度、寸法が正確でない場合や、絶縁支持部４とコーン部５の中心位置がずれた場合などには、絶縁支持部４とコーン部５の相対位置がずれてしまい、絶縁支持部４の上部に固定されている誘電体６上のディスク部１０とコーン部頂点部８との間隔が一定にならず、所定のアンテナ特性が得られないため、大量生産には不向きであるという問題があった。また、ディスク部１０の強度上の問題及び、ディスク部１０とコーン部５の頂点部８との一定の間隔を確保するために、ディスク部１０は所定の厚みの強度部材である誘電体６の上に取り付けられていることから、アンテナの反射量が大きくなり所定のアンテナ特性が得られないという問題があった。
【０００６】
そこで、本発明はディスク部１０とコーン部５の間に別部品からなる誘電体６を挟まずにディスク部１０とコーン部５の頂点部８の間の間隔を所定の間隔に保ち、アンテナ特性を向上させるディスコーンアンテナの支持構造を提供することを目的とする。
【課題を解決するための手段】
【０００７】
本発明の目的は、車両に一端が取り付けられ、固定部を有する支柱を表面に備えた絶縁基体部と、前記絶縁基体部の表面に固定された円錐筒状の金属板のコーン部と、前記コーン部の中心軸と同軸上で前記コーン部の頂点部と所定の空間を保って前記支柱の固定部に固定されている円板状金属板のディスク部と、を有することを特徴とするディスコーンアンテナによって達成することができる。ここで、前記支柱は２つの固定部を有し、一方の固定部に円錐筒状の金属板のコーン部が固定され、他の固定部に円板状金属板のディスク部が固定されることとしても良いし、前記絶縁基体部は表面に前記支柱を有する円錐台形状で、コーン部は前記支柱が入る開口部を有し、前記絶縁基体部に被せられて固定されていることとしても良いし、ディスク部は複数の前記支柱の一方の固定部によって、周辺部を固定されていることとしても良い。
【発明の効果】
【０００８】
本発明はディスク部１０とコーン部５の間に別部品からなる誘電体６を挟まずにディスク部１０とコーン部５の頂点部８の間の間隔を所定の間隔に保ち、アンテナ特性を向上させることができるという効果を奏する。
【発明を実施するための最良の形態】
【０００９】
以下、本発明の実施形態について説明する。説明において、従来技術と同様の部分には同様の符号を付して説明は省略する。
【実施例１】
【００１０】
本発明の第１の実施形態について、図１、図２を参照しながら説明する。図１は本発明のディスコーンアンテナ１の第１の実施形態を示す斜視図であり、図２は各部品の組立を示す図である。本発明のディスコーンアンテナ１は、表面に支柱２４が一体に成形されている円錐台形状の絶縁基体部２０を有し、前記支柱２４はその上部にディスク部１０を固定するディスク固定部２６を有している。金属製の円錐筒形状のコーン部５はスカート部９に前記支柱２４が入り込むスリット３２を有し、ディスク部１０と対向する頂点部８を有している。
【００１１】
ディスコーンアンテナ１は、車両に固定される基板３０の上に絶縁基体部２０が固定され、絶縁基体部２０の円錐部２２の上面にコーン部５が被せられている。コーン部５のスリット３２には支柱２４が入り込み、スリット３２の上側のコーン部上部側面８ａが絶縁基体部２０の絶縁基体部上部側面２２ａに接することによって、コーン部５は絶縁基体部２０によって保持、固定される。一方、ディスク部１０は支柱２４のディスク固定部２６によってコーン部５の頂点部８と一定の空間を保持するようにして絶縁基体部２０にその周辺部が固定されている。そして、ディスコーンアンテナ１には全体の保護のためにカバー４０が取り付けられている。また、図示しない給電線の外導体は絶縁基体部２０の中心を通り、コーン部５の頂点部８に接続され、図示しない内導体は絶縁基体部２０を貫通してディスク部１０の中心部に接続されている。ここで、基板３０と絶縁基体部２０は一体として成形されてもよい。
【００１２】
このように一体成形された絶縁基体部２０に取り付けられた支柱２４の上部と絶縁基体部上部側面２２ａによってディスク部１０及びコーン部５を固定していることから、コーン部５の頂点部８とディスク部１０との間の間隔を一定に保つことができ、アンテナ特性を向上させることができる。また、ディスク部１０はディスク固定部２６によってその周辺部を固定され、コーン部５の頂点部８との間に一定の空間を有し、中間に別部品からなる誘電体６が挟まっていないことから、安定した反射量を保ち、アンテナ特性が安定するという効果を奏する。図３に、このディスコーンアンテナ１のスリットの有無についての比較のグラフを示す。このグラフに示すように、スリットがある場合でも、スリットなしのノーマル形状のコーンと比較して、アンテナ特性はほとんど変化せず、良好なアンテナ特性が得られていることが確認されている。本実施形態では、絶縁基体部２０はコーン部５と同様の形状の円錐部２２の表面に円錐台形状のコーン部５が被せられていることから、薄い金属製のコーン部５を安定して保持、固定することができる。更にスリット３２によって強度が不足するスカート部９も安定して保持することができるという効果を奏する。また、コーン部５を絶縁基体部２０の下部の絶縁基体部スカート部側面２２ｂによって保持、固定することとしても同様の効果を奏することができる。コーン部５とディスク部１０は接着剤で固定されていても良いし、絶縁基体部表面やディスク固定部２６にはめ込まれて固定されていても良い。
【実施例２】
【００１３】
本発明の第２の実施形態を図４に示す。第１の実施形態と同様の部分は同一の符号を付して説明を省略する。第２の実施形態は第１の実施形態の円錐部２２に代わり、絶縁基体部２０に円柱部２５を有している。コーン部５及びディスク部１０は一体成形された絶縁基体部上部側面２２ａ及び支柱２４のディスク固定部２６によって固定されていることは同様である。本実施形態においても、第１の実施形態と同様に、コーン部５の頂点部８とディスク部１０との間の間隔を一定に保つことができ、アンテナ特性を向上させることができ、コーン部５の頂点部８との間に一定の空間を有し、中間に誘電体６が挟まっていないことから、安定した反射量を保ち、アンテナ特性が安定するという効果を奏する。更に、絶縁基体部２０の下部が円柱部２５となっていることから全体を軽量、コンパクトにすることができるという効果を奏する。
【実施例３】
【００１４】
本発明の第３の実施形態を図５（ａ）に示す。第３の実施形態では、第１の実施形態ではコーン部５が絶縁基体部上部側面２２ａによって保持、固定されていたことに代わり、支柱２４は下部にコーン部５を固定するコーン固定部２８を有しており、コーン部５のスリット３２には支柱２４が入り込み、スリット３２の上部がコーン固定部２８によって絶縁基体部２０に固定されている。このため、ディスク部１０とコーン部５を同一の部材で支持固定することができることから、ディスク部１０とコーン部５の頂点部８との間隔を一定に保つことができる。また、ディスク部１０をコーン部５の頂点部８と一定の空間をおいて固定することができることから、安定した反射量を保つことができるという効果を奏する。
【実施例４】
【００１５】
本発明の第４の実施形態を図５（ｂ）に示す。第４の実施形態では、第３の実施形態と同様にコーン部５のスリット３２の上部を支柱２４の下部のコーン固定部２８によって保持、固定するものである。本実施形態も、上記の第３の実施形態と同様の効果を奏すると共に、全体をコンパクトにすることができるという効果を奏する。
【実施例５】
【００１６】
本発明の第５の実施形態を図６（ａ）に示す。第５の実施形態では、第１、第３の実施形態ではコーン部５が支柱２４の入るスリット３２を有していたのに代わり、支柱２４の入る穴３４を有するようにしたものである。コーン部５は第１の実施形態と同様に絶縁基体部上部側面２２ａ又は絶縁基体部スカート部側面２２ｂによって保持、固定されても良いし、第３の実施形態のように支柱２４の下部のコーン固定部２８によって保持固定されていても良い。このような構造でも、第１、第３の実施形態と同様の効果を奏することができる。更に、本実施形態ではコーン部５のスカート部９にスリット３２を設けていないことから、スカート部９の強度が向上するという効果を奏する。
【実施例６】
【００１７】
本発明の第６の実施形態を図６（ｂ）に示す。第６の実施形態では、第５の実施形態と同様に第２の実施形態のスリット３２を穴３４に変えたものである。第５の実施例と同様、コーン部５は第１の実施形態と同様に絶縁基体部上部側面２２ａ又は絶縁基体部スカート部側面２２ｂによって保持、固定されても良いし、第３の実施形態のように支柱２４の下部のコーン固定部２８によって保持固定されていても良い。本実施形態は第５の実施形態と同様の効果を奏すると共に、全体をコンパクトにすることができるという効果を奏する。
【図面の簡単な説明】
【００１８】
【図１】本発明の第１の実施形態を示す斜視図である。
【図２】本発明の第１の実施形態の各部品の組立を示す説明図である。
【図３】スリットの有無による放射特性の変化を示すグラフである。
【図４】本発明の第２の各部品の組立を示す説明図である。
【図５】本発明の第３、第４の実施形態を示す側面図である。
【図６】本発明の第５、第６の実施形態を示す側面図である。
【図７】従来技術のディスコーンアンテナの部分断面図である。
【図８】従来技術のディスコーンアンテナの組立を示す説明図である。
【図９】コーン部の頂点部とディスク部との間の誘電体の有無による反射量の変化を示すグラフである。
【図１０】コーン部の頂点部とディスク部との間隔による反射量の変化を示すグラフである。
【符号の説明】
【００１９】
１  ディスコーンアンテナ、４  絶縁支持部、５  コーン部、６  誘電体、７  中心導体、８  頂点部、８ａ  上部側面、９  スカート部、１０  ディスク部、１１  中心軸、２０  絶縁基体部、２２  円錐部、２２ａ  絶縁基体部上部側面、２２ｂ  絶縁基体部スカート部側面、２３  絶縁基体部頂点部、２４  支柱、２５  円柱部、２６  ディスク固定部、２８  コーン固定部、３０  基板、３２  スリット、３４  穴、４０  カバー。
【図１】
2007201804.tif 000003
【図２】
2007201804.tif 000004
【図３】
2007201804.tif 000005
【図４】
2007201804.tif 000006
【図５】
2007201804.tif 000007
【図６】
2007201804.tif 000008
【図７】
2007201804.tif 000009
【図８】
2007201804.tif 000010
【図９】
2007201804.tif 000011
【図１０】
2007201804.tif 000012